(57)【要約】【課題】本体部の両側端と顔との間に隙間が生じにくいマスクを提供する。【解決手段】マスク１は、本体部１０、及び一対の耳紐２０を備えている。本体部１０は、装着者の口を覆う。一対の耳紐２０は、本体部１０の左右両側に設けられており、装着者の耳に掛けられる。本体部１０は、上端固定点１２、下端固定点１４、及び中間固定点１６を有している。上端固定点１２は、各耳紐２０の上端部２０ａが固定された部位である。下端固定点１４は、各耳紐２０の下端部２０ｂが固定された部位である。中間固定点１６は、各耳紐２０の中間部の一箇所２０ｃが固定された部位である。本体部１０の上下方向について、中間固定点１６は、上端固定点１２と下端固定点１４との間に位置する。【選択図】図１
2020111871.tif 000002
【特許請求の範囲】
【請求項１】
装着者の口を覆う本体部と、
前記本体部の左右両側に設けられ、前記装着者の耳に掛けられる一対の耳紐と、を備え、
前記本体部は、前記各耳紐の上端部が固定された部位である上端固定点、前記各耳紐の下端部が固定された部位である下端固定点、及び前記各耳紐の中間部の一箇所が固定された部位である第１の中間固定点を有しており、
前記本体部の上下方向について、前記第１の中間固定点は、前記上端固定点と前記下端固定点との間に位置することを特徴とするマスク。
【請求項２】
請求項１に記載のマスクにおいて、
前記第１の中間固定点は、前記本体部の側端の近傍に位置するマスク。
【請求項３】
請求項１又は２に記載のマスクにおいて、
前記第１の中間固定点は、前記下端固定点よりも前記上端固定点寄りに位置するマスク。
【請求項４】
請求項３に記載のマスクにおいて、
前記第１の中間固定点から前記上端固定点までの前記上下方向の距離は、５ｍｍ以上１５ｍｍ以下であるマスク。
【請求項５】
請求項３又は４に記載のマスクにおいて、
前記耳紐は、前記第１の中間固定点と前記上端固定点との間において、緩みなく延在しているマスク。
【請求項６】
請求項１乃至５の何れかに記載のマスクにおいて、
前記第１の中間固定点は、前記本体部の外面に存在するマスク。
【請求項７】
請求項１乃至５の何れかに記載のマスクにおいて、
前記第１の中間固定点は、前記本体部の内面に存在するマスク。
【請求項８】
請求項１乃至７の何れかに記載のマスクにおいて、
前記耳紐は、前記本体部の前記第１の中間固定点に対して、ホチキス留により固定されているマスク。
【請求項９】
請求項１乃至７の何れかに記載のマスクにおいて、
前記耳紐は、前記本体部の前記第１の中間固定点に対して、ホットメルト接着により固定されているマスク。
【請求項１０】
請求項１乃至７の何れかに記載のマスクにおいて、
前記耳紐は、前記本体部の前記第１の中間固定点に対して、超音波溶着により固定されているマスク。
【請求項１１】
請求項１乃至１０の何れかに記載のマスクにおいて、
前記本体部は、前記各耳紐の中間部の他の箇所が固定された部位である第２の中間固定点を有しており、
前記上下方向について、前記第２の中間固定点は、前記第１の中間固定点と前記下端固定点との間に位置するマスク。
【請求項１２】
請求項１１に記載のマスクにおいて、
前記第２の中間固定点は、前記本体部の側端の近傍に位置するマスク。
【請求項１３】
請求項１１又は１２に記載のマスクにおいて、
前記第２の中間固定点は、前記上端固定点よりも前記下端固定点寄りに位置するマスク。
【請求項１４】
請求項１３に記載のマスクにおいて、
前記第２の中間固定点から前記下端固定点までの前記上下方向の距離は、２ｍｍ以上７ｍｍ以下であるマスク。
【請求項１５】
請求項１３又は１４に記載のマスクにおいて、
前記耳紐は、前記第２の中間固定点と前記下端固定点との間において、緩みなく延在しているマスク。
【請求項１６】
請求項１１乃至１５の何れかに記載のマスクにおいて、
前記第２の中間固定点から前記下端固定点までの前記上下方向の距離は、前記第１の中間固定点から前記上端固定点までの前記上下方向の距離よりも小さいマスク。
【請求項１７】
請求項１１乃至１６の何れかに記載のマスクにおいて、
前記第２の中間固定点は、前記本体部の外面に存在するマスク。
【請求項１８】
請求項１１乃至１６の何れかに記載のマスクにおいて、
前記第２の中間固定点は、前記本体部の内面に存在するマスク。
【請求項１９】
請求項１１乃至１８の何れかに記載のマスクにおいて、
前記耳紐は、前記本体部の前記第２の中間固定点に対して、ホチキス留により固定されているマスク。
【請求項２０】
請求項１１乃至１８の何れかに記載のマスクにおいて、
前記耳紐は、前記本体部の前記第２の中間固定点に対して、ホットメルト接着により固定されているマスク。
【請求項２１】
請求項１１乃至１８の何れかに記載のマスクにおいて、
前記耳紐は、前記本体部の前記第２の中間固定点に対して、超音波溶着により固定されているマスク。
【請求項２２】
請求項１乃至２１の何れかに記載のマスクにおいて、
前記耳紐は、伸縮性を有するマスク。
【請求項２３】
請求項１乃至２２の何れかに記載のマスクにおいて、
前記上端固定点及び前記下端固定点は、前記本体部の外面に存在するマスク。
【請求項２４】
請求項１乃至２２の何れかに記載のマスクにおいて、
前記上端固定点及び前記下端固定点は、前記本体部の内面に存在するマスク。
【請求項２５】
請求項１乃至２４の何れかに記載のマスクにおいて、
前記本体部は、保水材が収容される保水材収容部を有するマスク。
【発明の詳細な説明】
【技術分野】
【０００１】
本発明は、人の鼻や口を覆うマスクに関する。
【背景技術】
【０００２】
従来のマスクとしては、例えば特許文献１に記載されたものがある。同文献に記載されたマスクは、装着者の鼻及び口を覆う本体部と、本体部を装着者の顔に固定するための耳紐とを備えている。本体部は、通気性のシート状素材から形成されている。耳紐は、本体部の左右両側に取り付けられている。
【先行技術文献】
【特許文献】
【０００３】
【特許文献１】特開２０１２−４０１６３号公報
【発明の概要】
【発明が解決しようとする課題】
【０００４】
かかるマスクは、本体部で鼻及び口を覆うことにより、鼻腔内や口腔内に有害粒子（ウィルス、細菌、花粉等）が入り込むのを阻止する機能を有する。しかしながら、本体部の両側端と顔との間に隙間が生じると、当該隙間を通じて、有害粒子が本体部内の空間（本体部と顔との間の空間）に侵入してしまうという問題がある。
【０００５】
本発明は、上記課題に鑑みてなされたものであり、本体部の両側端と顔との間に隙間が生じにくいマスクを提供することを目的とする。
【課題を解決するための手段】
【０００６】
本発明者は、鋭意検討の結果、従来のマスクにおいて本体部の両側端と顔との間に隙間が生じる一因が、本体部の作用点（耳紐からの力が働く部位）に働く力の向きにあることを発見した。すなわち、本体部の各側端において上下２箇所の作用点が耳紐から内向き（各作用点からもう一方の作用点に向かう方向）の力を受けることにより当該側端が弛み、それが上記隙間の原因となる。本発明者は、かかる知見の下、本発明に至った。
【０００７】
本発明によるマスクは、装着者の口を覆う本体部と、上記本体部の左右両側に設けられ、上記装着者の耳に掛けられる一対の耳紐と、を備え、上記本体部は、上記各耳紐の上端部が固定された部位である上端固定点、上記各耳紐の下端部が固定された部位である下端固定点、及び上記各耳紐の中間部の一箇所が固定された部位である第１の中間固定点を有しており、上記本体部の上下方向について、上記第１の中間固定点は、上記上端固定点と上記下端固定点との間に位置することを特徴とする。
【０００８】
このマスクにおいては、本体部が、上端固定点及び下端固定点に加えて、第１の中間固定点を有している。すなわち、耳紐の上端部及び下端部だけでなく、中間部も本体部に固定されている。そして、第１の中間固定点は、本体部の上下方向について、上端固定点と下端固定点との間に位置している。この場合、第１の中間固定点が存在しない場合（上端固定点及び下端固定点が耳紐からの力の作用点になる場合）に比して、一方の作用点が上端固定点又は下端固定点から第１の中間固定点にシフトし、他方の作用点に近づく。これにより、当該一方の作用点が耳紐から内向きの力を受けにくくなるため、本体部の両側端が弛みにくくなる。
【発明の効果】
【０００９】
本発明によれば、本体部の両側端と顔との間に隙間が生じにくいマスクが実現される。
【図面の簡単な説明】
【００１０】
【図１】本発明によるマスクの第１実施形態を示す正面図である。
【図２】本体部１０の上隅部Ｃ１及び下隅部Ｃ２について説明するための図である。
【図３】本体部１０の側端１０ｃの近傍Ｖ１について説明するための図である。
【図４】中間固定点１６から上端固定点１２までの上下方向の距離ｄ１、及び中間固定点１８から下端固定点１４までの上下方向の距離ｄ２について説明するための図である。
【図５】図１のマスクの効果を説明するための図である。
【図６】図１のマスクの効果を説明するための図である。
【図７】図１のマスクの効果を説明するための図である。
【図８】本発明によるマスクの第２実施形態を示す背面図である。
【図９】本発明によるマスクの第３実施形態を示す正面図である。
【図１０】本発明によるマスクの第３実施形態を示す背面図である。
【図１１】本発明によるマスクの第４実施形態を示す正面図である。
【図１２】本発明によるマスクの第４実施形態を示す背面図である。
【発明を実施するための形態】
【００１１】
以下、図面を参照しつつ、本発明の実施形態について詳細に説明する。なお、図面の説明においては、同一要素には同一符号を付し、重複する説明を省略する。
（第１実施形態）
【００１２】
図１は、本発明によるマスクの第１実施形態を示す正面図である。マスク１は、本体部１０、及び一対の耳紐２０を備えている。本体部１０は、装着者の口を覆う。本体部１０は、目、鼻及び口のうち、鼻及び口のみを覆ってもよいし、口のみを覆ってもよい。マスク１の非装着時、本体部１０は、平面的な矩形のシート状をしている。同図は、本体部１０の外面、すなわち装着者の顔に対向する面である内面とは反対側の面を示している。本体部１０は、通気性を有する材料からなる。かかる材料としては、例えば、不織布、紙、又はガーゼを用いることができる。
【００１３】
一対の耳紐２０は、本体部１０の左右両側に設けられている。マスク１の装着時、耳紐２０は、装着者の耳に掛けられる。それにより、本体部１０が装着者の顔に固定される。耳紐２０は、伸縮性を有している。耳紐２０としては、例えばゴム紐を用いることができる。
【００１４】
本体部１０は、上端固定点１２及び下端固定点１４、並びに、中間固定点１６（第１の中間固定点）及び中間固定点１８（第２の中間固定点）を有している。上端固定点１２は、本体部１０における各耳紐２０の上端部２０ａが固定された部位である。上端部２０ａは、本体部１０の外面に固定されている。それゆえ、上端固定点１２は、本体部１０の外面に存在する。また、上端固定点１２は、本体部１０の上隅部Ｃ１（図２参照）に位置する。上隅部Ｃ１は、本体部１０の上端１０ａから１５ｍｍ以内、かつ側端１０ｃから１５ｍｍ以内の領域である。上端固定点１２に対する耳紐２０（上端部２０ａ）の固定は、例えば溶着（超音波溶着、熱溶着等）により行うことができる。
【００１５】
下端固定点１４は、本体部１０における各耳紐２０の下端部２０ｂが固定された部位である。下端部２０ｂは、本体部１０の外面に固定されている。それゆえ、下端固定点１４は、本体部１０の外面に存在する。また、下端固定点１４は、本体部１０の下隅部Ｃ２（図２参照）に位置する。下隅部Ｃ２は、本体部１０の下端１０ｂから１５ｍｍ以内、かつ側端１０ｃから１５ｍｍ以内の領域である。下端固定点１４に対する耳紐２０（下端部２０ｂ）の固定は、例えば溶着により行うことができる。
【００１６】
中間固定点１６は、本体部１０における各耳紐２０の中間部の一箇所２０ｃが固定された部位である。耳紐２０の中間部は、耳紐２０における上端部２０ａ及び下端部２０ｂを除いた部分である。耳紐２０の箇所２０ｃは、本体部１０の外面に固定されている。すなわち、中間固定点１６は、本体部１０の外面に存在する。また、中間固定点１６は、本体部１０の側端１０ｃの近傍Ｖ１（図３参照）に位置する。近傍Ｖ１は、本体部１０の側端１０ｃから２０ｍｍ以内の領域である。中間固定点１６に対する耳紐２０（箇所２０ｃ）の固定は、例えば、溶着の他、接着又はホチキス留により行うことができる。接着は、ホットメルト接着が好ましい。ホチキス留は、樹脂製又は紙製のホチキス針を用いることが好ましい。
【００１７】
本体部１０の上下方向（図１の上下方向に等しい。）について、中間固定点１６は、上端固定点１２と下端固定点１４との間に位置する。すなわち、中間固定点１６から上端１０ａまでの距離は上端固定点１２から上端１０ａまでの距離よりも大きく、かつ中間固定点１６から下端１０ｂまでの距離は下端固定点１４から下端１０ｂまでの距離よりも大きい。中間固定点１６から側端１０ｃ（当該中間固定点１６に近い方の側端１０ｃ）までの距離は、上端固定点１２から側端１０ｃ（当該上端固定点１２に近い方の側端１０ｃ）までの距離に等しくてもよいし、異なっていてもよい。両距離が異なる場合、前者の距離は、後者の距離より小さくてもよいし、大きくてもよい。図１は、前者の距離が後者の距離より大きい場合の例を示している。
【００１８】
中間固定点１６は、下端固定点１４よりも上端固定点１２寄りに位置する。すなわち、中間固定点１６から上端固定点１２までの距離は、中間固定点１６から下端固定点１４までの距離よりも小さい。中間固定点１６から上端固定点１２までの上下方向の距離ｄ１（図４参照）は、５ｍｍ以上１５ｍｍ以下であることが好ましい。距離ｄ１は、上端固定点１２を通り本体部１０の左右方向（図１の左右方向に等しい。）に延びる直線Ｌ１と、中間固定点１６を通り本体部１０の左右方向に延びる直線Ｌ２との間の距離として定義される。
【００１９】
耳紐２０は、中間固定点１６と上端固定点１２との間において、緩みなく延在している。換言すれば、耳紐２０は、中間固定点１６と上端固定点１２との間において、一直線状に延在している。それゆえ、耳紐２０の箇所２０ｃから上端部２０ａまでの部分の長さは、中間固定点１６から上端固定点１２までの最短距離（直線距離）に略等しい。
【００２０】
中間固定点１８は、本体部１０における各耳紐２０の中間部の他の箇所２０ｄが固定された部位である。耳紐２０の箇所２０ｄは、本体部１０の外面に固定されている。すなわち、中間固定点１８は、本体部１０の外面に存在する。また、中間固定点１８は、本体部１０の側端１０ｃの近傍Ｖ１（図３参照）に位置する。中間固定点１８に対する耳紐２０（箇所２０ｄ）の固定は、例えば、溶着の他、接着又はホチキス留により行うことができる。
【００２１】
本体部１０の上下方向について、中間固定点１８は、中間固定点１６と下端固定点１４との間に位置する。すなわち、中間固定点１８から上端１０ａまでの距離は中間固定点１６から上端１０ａまでの距離よりも大きく、かつ中間固定点１８から下端１０ｂまでの距離は下端固定点１４から下端１０ｂまでの距離よりも大きい。中間固定点１８から側端１０ｃ（当該中間固定点１８に近い方の側端１０ｃ）までの距離は、下端固定点１４から側端１０ｃ（当該下端固定点１４に近い方の側端１０ｃ）までの距離に等しくてもよいし、異なっていてもよい。両距離が異なる場合、前者の距離は、後者の距離より小さくてもよいし、大きくてもよい。図１は、前者の距離が後者の距離より大きい場合の例を示している。
【００２２】
中間固定点１８は、上端固定点１２よりも下端固定点１４寄りに位置する。すなわち、中間固定点１８から下端固定点１４までの距離は、中間固定点１８から上端固定点１２までの距離よりも小さい。中間固定点１８から下端固定点１４までの上下方向の距離ｄ２（図４参照）は、２ｍｍ以上７ｍｍ以下であることが好ましい。距離ｄ２は、下端固定点１４を通り本体部１０の左右方向に延びる直線Ｌ３と、中間固定点１８を通り本体部１０の左右方向に延びる直線Ｌ４との間の距離として定義される。距離ｄ２は、上述の距離ｄ１よりも小さい。
【００２３】
耳紐２０は、中間固定点１８と下端固定点１４との間において、緩みなく延在している。換言すれば、耳紐２０は、中間固定点１８と下端固定点１４との間において、一直線状に延在している。それゆえ、耳紐２０の箇所２０ｄから下端部２０ｂまでの部分の長さは、中間固定点１８から下端固定点１４までの直線距離に略等しい。
【００２４】
マスク１の効果を説明する。マスク１においては、本体部１０が、上端固定点１２及び下端固定点１４に加えて、中間固定点１６を有している。すなわち、耳紐２０の上端部２０ａ及び下端部２０ｂだけでなく、中間部（箇所２０ｃ）も本体部１０に固定されている。そして、中間固定点１６は、本体部１０の上下方向について、上端固定点１２と下端固定点１４との間に位置している。この場合、中間固定点１６が存在しない場合（上端固定点１２が耳紐２０からの力の作用点になる場合）に比して、上側の作用点が上端固定点１２から中間固定点１６にシフトし、下側の作用点に近づく。これにより、上側の作用点が耳紐２０から内向きの力を受けにくくなるため、両側端１０ｃが弛みにくくなる。したがって、本体部１０の両側端１０ｃと顔との間に隙間が生じにくいマスク１が実現されている。
【００２５】
さらに、本体部１０は、中間固定点１８を有している。中間固定点１８は、本体部１０の上下方向について、中間固定点１６と下端固定点１４との間に位置している。この場合、中間固定点１８が存在しない場合（下端固定点１４が耳紐２０からの力の作用点になる場合）に比して、下側の作用点が下端固定点１４から中間固定点１８にシフトし、上側の作用点に近づく。これにより、下側の作用点も耳紐２０から内向きの力を受けにくくなるため、本体部１０の両側端１０ｃが一層弛みにくくなる。
【００２６】
敷衍すると、図５に示すように、中間固定点１６，１８が存在せず上端固定点１２及び下端固定点１４が作用点になる場合、マスクの装着時、上端固定点１２が耳紐２０から斜め下向きの力Ｆ１を受けるとともに、下端固定点１４が耳紐２０から斜め上向きの力Ｆ２を受ける。そのため、力Ｆ１の分力ｆ１及び力Ｆ２の分力ｆ２が、内向きの力となり、それぞれ上端固定点１２及び下端固定点１４に働く。分力ｆ１及び分力ｆ２は、それぞれ力Ｆ１及び力Ｆ２を本体部１０の上下方向と左右方向とに分解したときの上下方向の分力である。かかる内向きの力が、図６に示すように、従来のマスクにおける側端１０ｃの弛みを引き起こしていた。同図は、図５のマスクを右方向から見た図である。
【００２７】
これに対し、図７に示すように、中間固定点１６，１８が存在する場合、上側の作用点が上端固定点１２から中間固定点１６にシフトするとともに、下側の作用点が下端固定点１４から中間固定点１８にシフトする。それに伴い、力Ｆ１及び力Ｆ２の向きは、水平（本体部１０の左右方向）に近づく。すると、分力ｆ１及び分力ｆ２の値（内向きを正とする。）が小さくなる。このことは、作用点が耳紐２０から内向きの力を受けにくくなることを意味する。このため、本体部１０の両側端１０ｃが弛みにくくなり、両側端１０ｃの顔に対する密着度が向上する。
【００２８】
また、本体部１０は、上端固定点１２及び下端固定点１４とは別に、中間固定点１６，１８を有している。この場合、中間固定点１６，１８が存在しない（すなわち本体部に耳紐の端部のみが固定されている）一般的な市販のマスクに手を加えることにより、マスク１を得ることができる。詳細には、かかる市販のマスクにおいて本体部に耳紐の中間部を固定するだけで、中間固定点１６，１８が存在するマスク１を得ることができる。
【００２９】
各中間固定点１６，１８は、本体部１０の側端１０ｃの近傍に位置している。これにより、各中間固定点１６，１８から装着者の耳までの距離が徒に大きくなるのを避けることができる。当該距離が大きくなると、その分だけ耳紐２０全体の長さを大きくしなければならないため、マスク１の製造コストの面で不利となる。
【００３０】
中間固定点１６は、下端固定点１４よりも上端固定点１２寄りに位置している。かかる構成は、上側の作用点を上端固定点１２から中間固定点１６にシフトさせるのに適している。また、中間固定点１８は、上端固定点１２よりも下端固定点１４寄りに位置している。かかる構成は、下側の作用点を下端固定点１４から中間固定点１８にシフトさせるのに適している。
【００３１】
中間固定点１６から上端固定点１２までの上下方向の距離ｄ１が大きい方が、上述の分力ｆ１の値を小さくするのに有利である。かかる観点から、距離ｄ１は、５ｍｍ以上であることが好ましい。他方、距離ｄ１が大きすぎると、マスク１の装着時、側端１０ｃの上部（図４に示した直線Ｌ２よりも上の部分）が捲れやすくなってしまう。かかる観点から、距離ｄ１は、１５ｍｍ以下であることが好ましい。
【００３２】
中間固定点１８から下端固定点１４までの上下方向の距離ｄ２が大きい方が、上述の分力ｆ２の値を小さくするのに有利である。かかる観点から、距離ｄ２は、２ｍｍ以上であることが好ましい。他方、距離ｄ２が大きすぎると、マスク１の装着時、側端１０ｃの下部（図４に示した直線Ｌ４よりも下の部分）が捲れやすくなってしまう。かかる観点から、距離ｄ２は、７ｍｍ以下であることが好ましい。
【００３３】
中間固定点１８から下端固定点１４までの上下方向の距離ｄ２は、中間固定点１６から上端固定点１２までの上下方向の距離ｄ１よりも小さい。マスク１の装着時、側端１０ｃの下部は、通常、顎の下辺りに位置するため、側端１０ｃの上部よりも捲れやすい。それゆえ、距離ｄ２を距離ｄ１よりも小さくすることは、側端１０ｃの上部及び下部の捲れを適度に抑制しつつ、側端１０ｃを弛みにくくする上で有利である。
【００３４】
耳紐２０は、中間固定点１６と上端固定点１２との間の区間において緩みなく延在している。この場合、当該区間において耳紐２０が緩んでいる場合に比して、耳紐２０全体の長さを小さく抑えることができる。同様に、耳紐２０は、中間固定点１８と下端固定点１４との間の区間において緩みなく延在している。この場合、当該区間において耳紐２０が緩んでいる場合に比して、耳紐２０全体の長さを小さく抑えることができる。
【００３５】
中間固定点１６は、本体部１０の外面に存在している。この場合、マスク１の装着時に、中間固定点１６における耳紐２０の固定箇所（箇所１０ｃ）が顔に触れないという利点がある。同様に、中間固定点１８は、本体部１０の外面に存在している。この場合、マスク１の装着時に、中間固定点１８における耳紐２０の固定箇所（箇所１０ｄ）が顔に触れないという利点がある。また、中間固定点１６及び中間固定点１８が本体部１０の外面に存在する場合、耳紐２０によって本体部１０の側端１０ｃが外面側から押さえられることになる。このことも、両側端１０ｃの顔に対する密着度を向上させるのに有利に働く。
【００３６】
上端固定点１２及び下端固定点１４は、本体部１０の外面に存在している。このようにマスク１においては、上端固定点１２、下端固定点１４、中間固定点１６及び中間固定点１８が本体部１０の同一の面（外面）に存在している。この場合、本体部１０の片面にのみ耳紐２０を配置すればよいため、マスク１の製造が容易となる。
【００３７】
耳紐２０が各中間固定点１６，１８に対してホチキス留により固定されている場合、当該固定にホチキス以外の特別な製品（例えば接着剤や溶着機）を用いる必要がない。このため、各中間固定点１６，１８に対する耳紐２０の固定を簡便に行うことができる。
【００３８】
耳紐２０が各中間固定点１６，１８に対してホットメルト接着により固定されている場合、当該固定に溶剤を用いる必要がない。このため、溶剤を用いる場合に比して、環境に優しいという利点がある。
【００３９】
耳紐２０が各中間固定点１６，１８に対して超音波溶着により固定されている場合、当該固定を特に強固に行うことができる。また、耳紐２０の上端固定点１２及び下端固定点１４に対する固定も超音波溶着により行う場合であれば、マスク１を製造する際、耳紐２０の上端固定点１２及び下端固定点１４に対する固定と中間固定点１６及び中間固定点１８に対する固定とを同一の超音波溶着機を用いて同一の工程で行うことが可能となる。このことは、マスク１の製造コストの削減に資する。
【００４０】
耳紐２０は、伸縮性を有している。この場合、耳紐２０の張力（収縮力）により、作用点が耳紐２０から受ける力が大きくなる。そのため、内向きの力に起因する側端１０ｃの弛みの問題が顕著となる。それゆえ、上述のように作用点をシフトさせて内向きの力を小さくすることのできるマスク１が特に有用となる。
（第２実施形態）
【００４１】
図８は、本発明によるマスクの第２実施形態を示す背面図である。マスク２は、本体部１０、及び一対の耳紐２０を備えている。同図は、本体部１０の内面を示している。
【００４２】
本体部１０は、上端固定点１２及び下端固定点１４、並びに、中間固定点１６及び中間固定点１８を有している。耳紐２０の上端部２０ａは、本体部１０の内面に固定されている。それゆえ、上端固定点１２は、本体部１０の内面に存在する。耳紐２０の下端部２０ｂは、本体部１０の内面に固定されている。それゆえ、下端固定点１４は、本体部１０の内面に存在する。
【００４３】
耳紐２０の箇所２０ｃは、本体部１０の内面に固定されている。すなわち、中間固定点１６は、本体部１０の内面に存在する。耳紐２０の箇所２０ｄは、本体部１０の内面に固定されている。すなわち、中間固定点１８は、本体部１０の内面に存在する。マスク２のその他の構成は、マスク１と同様である。
【００４４】
マスク２の効果を説明する。マスク２においては、上端固定点１２、下端固定点１４、中間固定点１６及び中間固定点１８が本体部１０の同一の面（内面）に存在している。この場合、本体部１０の片面にのみ耳紐２０を配置すればよいため、マスク２の製造が容易となる。
【００４５】
上端固定点１２及び中間固定点１６は、本体部１０の内面に存在している。この場合、側端１０ｃの上部が外側（図８において紙面の奥側）に捲れようとすると、当該上部に耳紐２０の張力が働くことになる。詳細には、側端１０ｃの上部が外側に捲れるとき、耳紐２０の上端部２０ａから箇所２０ｃまでの部分が伸長するため、当該上部を元の状態に戻す方向に耳紐２０の張力が働く。このため、マスク２の装着時、側端１０ｃの上部が捲れにくくなる。
【００４６】
下端固定点１４及び中間固定点１８は、本体部１０の内面に存在している。この場合、側端１０ｃの下部が外側に捲れようとすると、当該下部に耳紐２０の張力が働くことになる。詳細には、側端１０ｃの下部が外側に捲れるとき、耳紐２０の下端部２０ｂから箇所２０ｄまでの部分が伸長するため、当該下部を元の状態に戻す方向に耳紐２０の張力が働く。このため、マスク２の装着時、側端１０ｃの下部が捲れにくくなる。マスク２のその他の効果は、マスク１と同様である。
（第３実施形態）
【００４７】
図９及び図１０は、それぞれ、本発明によるマスクの第３実施形態を示す正面図及び背面図である。マスク３は、本体部１０、及び一対の耳紐２０を備えている。図９及び図１０は、それぞれ本体部１０の外面及び内面を示している。
【００４８】
本体部１０は、上端固定点１２及び下端固定点１４、並びに、中間固定点１６及び中間固定点１８を有している。耳紐２０の上端部２０ａは、本体部１０の外面に固定されている。それゆえ、上端固定点１２は、本体部１０の外面に存在する。耳紐２０の下端部２０ｂは、本体部１０の外面に固定されている。それゆえ、下端固定点１４は、本体部１０の外面に存在する。
【００４９】
耳紐２０の箇所２０ｃは、本体部１０の内面に固定されている。すなわち、中間固定点１６は、本体部１０の内面に存在する。このように本実施形態においては、上端固定点１２と中間固定点１６とが本体部１０における互いに反対側の面に存在する。それゆえ、耳紐２０の箇所２０ｃから上端部２０ａまでの間の部分は、本体部１０の両面（外面及び内面）に跨っている。具体的には、耳紐２０は、中間固定点１６から側端１０ｃを経由して上端固定点１２に達している。
【００５０】
本実施形態においても耳紐２０は、中間固定点１６と上端固定点１２との間において、緩みなく延在している。換言すれば、耳紐２０は、中間固定点１６と側端１０ｃとの間において一直線状に延在するとともに、側端１０ｃと上端固定点１２との間において一直線状に延在している。耳紐２０の箇所２０ｃから上端部２０ａまでの部分の長さは、中間固定点１６から側端１０ｃを経由して上端固定点１２に達するまでの最短距離に略等しい。
【００５１】
耳紐２０の箇所２０ｄは、本体部１０の内面に固定されている。すなわち、中間固定点１８は、本体部１０の内面に存在する。このように本実施形態においては、下端固定点１４と中間固定点１８とが本体部１０における互いに反対側の面に存在する。それゆえ、耳紐２０の箇所２０ｄから下端部２０ｂまでの間の部分は、本体部１０の両面に跨っている。具体的には、耳紐２０は、中間固定点１８から側端１０ｃを経由して下端固定点１４に達している。
【００５２】
本実施形態においても耳紐２０は、中間固定点１８と下端固定点１４との間において、緩みなく延在している。換言すれば、耳紐２０は、中間固定点１８と側端１０ｃとの間において一直線状に延在するとともに、側端１０ｃと下端固定点１４との間において一直線状に延在している。耳紐２０の箇所２０ｄから下端部２０ｂまでの部分の長さは、中間固定点１８から側端１０ｃを経由して下端固定点１４に達するまでの最短距離に略等しい。マスク３のその他の構成は、マスク１と同様である。
【００５３】
マスク３の効果を説明する。マスク３においては、上端固定点１２が本体部１０の外面に存在する一方、中間固定点１６が本体部１０の内面に存在している。これにより、耳紐２０の箇所２０ｃから上端部２０ａまでの部分が本体部１０の側端１０ｃの上部を巻き込んだ状態となるため、マスク３の装着時、当該上部が捲れにくくなる。
【００５４】
また、下端固定点１４が本体部１０の外面に存在する一方、中間固定点１８が本体部１０の内面に存在している。これにより、耳紐２０の箇所２０ｄから下端部２０ｂまでの部分が本体部１０の側端１０ｃの下部を巻き込んだ状態となるため、マスク３の装着時、当該下部が捲れにくくなる。マスク３のその他の効果は、マスク１と同様である。
（第４実施形態）
【００５５】
図１１及び図１２は、それぞれ、本発明によるマスクの第４実施形態を示す正面図及び背面図である。マスク４は、本体部１０、及び一対の耳紐２０を備えている。図１１及び図１２は、それぞれ本体部１０の外面及び内面を示している。
【００５６】
本体部１０は、上端固定点１２及び下端固定点１４、並びに、中間固定点１６及び中間固定点１８を有している。耳紐２０の上端部２０ａは、本体部１０の内面に固定されている。それゆえ、上端固定点１２は、本体部１０の内面に存在する。耳紐２０の下端部２０ｂは、本体部１０の内面に固定されている。それゆえ、下端固定点１４は、本体部１０の内面に存在する。
【００５７】
耳紐２０の箇所２０ｃは、本体部１０の外面に固定されている。すなわち、中間固定点１６は、本体部１０の外面に存在する。このように本実施形態においても、上端固定点１２と中間固定点１６とが本体部１０における互いに反対側の面に存在する。
【００５８】
耳紐２０の箇所２０ｄは、本体部１０の外面に固定されている。すなわち、中間固定点１８は、本体部１０の外面に存在する。このように本実施形態においても、下端固定点１４と中間固定点１８とが本体部１０における互いに反対側の面に存在する。マスク４のその他の構成は、マスク３と同様である。
【００５９】
マスク４の効果を説明する。マスク４においては、上端固定点１２が本体部１０の内面に存在する一方、中間固定点１６が本体部１０の外面に存在している。これにより、耳紐２０の箇所２０ｃから上端部２０ａまでの部分が本体部１０の側端１０ｃの上部を巻き込んだ状態となるため、マスク４の装着時、当該上部が捲れにくくなる。
【００６０】
また、下端固定点１４が本体部１０の内面に存在する一方、中間固定点１８が本体部１０の外面に存在している。これにより、耳紐２０の箇所２０ｄから下端部２０ｂまでの部分が本体部１０の側端１０ｃの下部を巻き込んだ状態となるため、マスク４の装着時、当該下部が捲れにくくなる。マスク４のその他の効果は、マスク１と同様である。
【００６１】
本発明は、上記実施形態に限定されるものではなく、様々な変形が可能である。上記実施形態において本体部１０は、保水材が収容される袋状ないしポケット状の保水材収容部を有していてもよい。その場合、保水材収容部に保水材を収容した状態でマスクを使用することにより、本体部１０内の空間の湿度を高めることができる。当該空間の湿度を高めることにより、インフルエンザウィルス等の感染力を低下させる効果も期待できる。
【００６２】
上記実施形態においては、中間固定点１８から下端固定点１４までの上下方向の距離ｄ２が中間固定点１６から上端固定点１２までの上下方向の距離ｄ１よりも小さい場合を例示した。しかし、距離ｄ２は、距離ｄ１に等しくてもよいし、距離ｄ１より大きくてもよい。
【００６３】
上記実施形態において中間固定点１６に対する耳紐２０（箇所２０ｃ）の固定は、本体部１０に穴を形成し、その穴に耳紐２０を通すことにより行ってもよい。その場合、当該穴が中間固定点１６に相当する。同様に、中間固定点１８に対する耳紐２０（箇所２０ｄ）の固定は、本体部１０に穴を形成し、その穴に耳紐２０を通すことにより行ってもよい。その場合、当該穴が中間固定点１８に相当する。
【００６４】
上記実施形態においては、中間固定点１６及び中間固定点１８の双方が本体部１０に設けられた場合を例示した。しかし、本体部１０には、中間固定点１６又は中間固定点１８の何れか一方のみが設けられていてもよい。中間固定点１８のみが設けられる場合は、中間固定点１８が、「第１の中間固定点」に相当し、本体部１０の上下方向について上端固定点１２と下端固定点１４との間に位置する。
【００６５】
上記実施形態においては、耳紐２０が伸縮性を有する場合を例示した。しかし、耳紐２０は、伸縮性を有していなくてもよい。その場合、耳紐２０の材料としては、例えば不織布を用いることができる。
【符号の説明】
【００６６】
１  マスク
２  マスク
３  マスク
４  マスク
１０  本体部
１０ａ  上端
１０ｂ  下端
１０ｃ  側端
１２  上端固定点
１４  下端固定点
１６  中間固定点（第１の中間固定点）
１８  中間固定点（第２の中間固定点）
２０  耳紐
２０ａ  上端部
２０ｂ  下端部
２０ｃ  中間部の一箇所
２０ｄ  中間部の他の箇所
【図１】
2020111871.tif 000003
【図２】
2020111871.tif 000004
【図３】
2020111871.tif 000005
【図４】
2020111871.tif 000006
【図５】
2020111871.tif 000007
【図６】
2020111871.tif 000008
【図７】
2020111871.tif 000009
【図８】
2020111871.tif 000010
【図９】
2020111871.tif 000011
【図１０】
2020111871.tif 000012
【図１１】
2020111871.tif 000013
【図１２】
2020111871.tif 000014